(57)【要約】【課題】操作スイッチを目視するのが困難な状況であっても、確実に選曲のための操作をすることが可能な、携帯型オーディオ再生装置および操作入力処理方法を提供する。【解決手段】信号処理部１０３がオーディオデータを再生していないときに、ホールドスイッチ１０６ａがオン状態にされた場合は、制御部１０２は、操作スイッチ１０６ｂからの操作入力を受け付けせず、また、信号処理部１０３がオーディオデータを再生しているときに、ホールドスイッチ１０６ａがオン状態にされた場合は、制御部１０２は、操作スイッチ１０６ｂからの操作入力を受け付けて、再生中のオーディオデータを変更するようにした。【選択図】図１
2008065899.tif 000002
【特許請求の範囲】
【請求項１】
所定の機能に関する操作入力をするための複数の操作入力部と、前記操作入力部の誤操作を防止するためのホールド入力を行うホールド入力部と、制御部と、複数のオーディオデータを記録するための記録部と、前記記録部に記録された前記オーディオデータを再生する信号処理部とを備える、携帯型オーディオ再生装置であって、
前記制御部は、
前記信号処理部が前記オーディオデータを再生していないときに、前記ホールド入力部のホールド入力がオン状態にされた場合は、前記操作入力部からの操作入力を受け付けしないで、
前記信号処理部が前記オーディオデータを再生しているときに、前記ホールド入力部のホールド入力がオン状態にされた場合は、前記操作入力部からの操作入力を受け付けて、再生中の前記オーディオデータを変更する、
携帯型オーディオ再生装置。
【請求項２】
前記制御部は、
前記信号処理部が前記オーディオデータを再生しているときに、前記ホールド入力部のホールド入力がオン状態にされた場合は、前記操作入力部からの操作入力を受け付けて、再生中の前記オーディオデータの次の前記オーディオデータへのスキップ動作をすることによって、再生中の前記オーディオデータを変更する、
請求項１に記載の携帯型オーディオ再生装置。
【請求項３】
前記記録部に記録された前記オーディオデータは、複数のグループに分類されており、
前記制御部は、
前記信号処理部が前記オーディオデータを再生しているときに、前記ホールド入力部のホールド入力がオン状態にされた場合は、前記操作入力部からの操作入力を受け付けて、再生中の前記オーディオデータが所属する前記グループとは異なる前記グループに所属する前記オーディオデータへのグループ変更動作をすることによって、再生中の前記オーディオデータを変更する、
請求項１に記載の携帯型オーディオ再生装置。
【請求項４】
所定の機能に関する操作入力をするための複数の操作入力部と、前記操作入力部の誤操作を防止するためのホールド入力を行うホールド入力部とを備えた、携帯型オーディオ再生装置の操作入力処理方法であって、
オーディオデータが再生されているかどうかを判断するステップと、
前記ホールドスイッチがオン状態にされたかどうかを判断するステップと、
前記オーディオデータが再生されていないときに、前記ホールド入力部のホールド入力がオン状態にされた場合は、前記操作入力部からの操作入力を受け付けしないステップと、
前記オーディオデータが再生されているときに、前記ホールド入力部のホールド入力がオン状態にされた場合は、前記操作入力部からの操作入力を受け付けて、再生中の前記オーディオデータを変更するステップとを含む、
携帯型オーディオ再生装置の操作入力処理方法。
【発明の詳細な説明】
【技術分野】
【０００１】
本発明は、音声や音楽などのオーディオデータを再生する携帯型オーディオ再生装置、および、携帯型オーディオ再生装置の操作スイッチからの操作入力を処理する操作入力処理方法に関するものであり、特に、携帯型のデジタルオーディオプレーヤなどの、携帯型オーディオ再生装置および操作入力処理方法に関するものである。
【背景技術】
【０００２】
近年、ＭＰ３やＡＡＣに代表されるオーディオ符号化技術の発展により、オーディオデータを少ないデータ量でも高音質なデジタルデータとして扱えるようになってきた。また、ハードディスクやフラッシュメモリなどの記録媒体の大容量化により、小型のランダムアクセス可能な記録媒体でも大容量をもつことが可能になり、オーディオデータを記録するための記録媒体として、これらの記録媒体が使われるようになってきた。このような中で、記録媒体として小型ハードディスクやフラッシュメモリを搭載する携帯型のデジタルオーディオプレーヤが、多数のオーディオデータを入れ換えすることなく持ち運ぶことができるという使い勝手の良さから、急速に普及してきている。
【０００３】
通常、これらの携帯型のデジタルオーディオプレーヤや、携帯型のＣＤプレーヤや、携帯型のＭＤプレーヤや、オーディオ再生機能をもつ携帯電話や、携帯型のラジオなどの携帯型オーディオ再生装置を持ち運ぶときは、鞄や衣服のポケットなどに入れて携帯することが多い。ところが、その場合、携帯型オーディオ再生装置の操作スイッチが他の物体に容易に触れてしまい、誤操作を引き起こすことがある。
【０００４】
従来、こうした課題を解決するための、この種の携帯型オーディオ再生装置および操作入力処理方法としては、例えば、特許文献１に記載されているようなものがあった。
【０００５】
特許文献１においては、携帯型のＣＤプレーヤにホールドスイッチを設け、ホールドスイッチをオン状態とすることで、所定の操作スイッチの操作を受け付けないようにすることができる。こうすることで、ホールドスイッチをオン状態にしたときのＣＤプレーヤの動作状態がそのまま保持される。従って、誤って操作スイッチに触れてしまったとしても、例えば、電源のオフ状態で電源がオン状態になることもなく、オーディオデータを再生していない状態でオーディオデータの再生が開始することもなく、オーディオデータを再生している状態で再生が停止したり音量が大きくなることもない。このように、ユーザーの意思によらない誤操作を防止することができる。
【特許文献１】特開平５―２６６６４５号公報
【発明の開示】
【発明が解決しようとする課題】
【０００６】
しかしながら、前記従来の構成では、必ずしも使い勝手がよいとは言えない場合があった。例えば、近年急速に普及してきている、携帯型のデジタルオーディオプレーヤでは、数Ｇバイトの記録容量をもつ記録媒体に数千曲のオーディオデータを記録することができる。多数の中から個々のオーディオデータを選択する煩わしさを軽減するため、これら多数のオーディオデータを再生するための新たな方法として、複数のオーディオデータをプレイリストに予め登録しておいて、プレイリストを選択することで登録されたオーディオデータを順次再生する方法や、オーディオデータをランダムに自動的に選択して順次再生する方法などが、行われるようになってきた。
【０００７】
このようにすることで、ＣＤやＭＤのように頻繁に記録媒体を入れ換えたり、操作スイッチを操作したりすることなしに、鞄や衣服のポケットに入れたままでも長時間連続再生することが可能になる。ところが、個々のオーディオデータを逐次選択してから再生しているわけではないこともあって、順次再生において新たに再生が始まったオーディオデータが気に入らなくて、別のオーディオデータに変更したくなることがある。また、直前に再生していたオーディオデータをもう一度再生したくなるようなこともある。
【０００８】
このような場合、前記従来の構成では、ホールドスイッチを一旦オフ状態としてから、操作スイッチを操作することでオーディオデータを変更し、再びホールドスイッチをオン状態とする必要があった。特に、混雑した電車に乗っているときや、荷物を持ちながら歩いているときや、暗い場所にいるときや、自転車に乗っているときなど、ホールドスイッチや操作スイッチを目視して正確な操作をすることが楽ではない状況のときは、このように操作する項目が多いと、使い勝手がよくない。また、ホールドスイッチを一旦オフ状態とするので、オーディオデータを変更する際に誤操作をしてしまうこともあった。
【課題を解決するための手段】
【０００９】
前記従来の課題を解決するため、本発明の携帯型オーディオ再生装置は、所定の機能に関する操作入力をするための複数の操作スイッチと、前記操作スイッチの誤操作を防止するためのホールドスイッチと、制御部と、複数のオーディオデータを記録するための記録部と、前記記録部に記録された前記オーディオデータを再生する信号処理部とを備える、携帯型オーディオ再生装置であって、前記制御部は、前記信号処理部が前記オーディオデータを再生していないときに、前記ホールドスイッチがオン状態にされた場合は、前記操作スイッチからの操作入力を受け付けしないで、前記信号処理部が前記オーディオデータを再生しているときに、前記ホールドスイッチがオン状態にされた場合は、前記操作スイッチからの操作入力を受け付けて、再生中の前記オーディオデータを変更する。
【００１０】
また、本発明の携帯型オーディオ再生装置の操作入力処理方法は、所定の機能に関する操作入力をするための複数の操作スイッチと、前記操作スイッチの誤操作を防止するためのホールドスイッチとを備えた、携帯型オーディオ再生装置の操作入力処理方法であって、オーディオデータが再生されているかどうかを判断するステップと、前記ホールドスイッチがオン状態にされたかどうかを判断するステップと、前記オーディオデータが再生されていないときに、前記ホールドスイッチがオン状態にされた場合は、前記操作スイッチからの操作入力を受け付けしないステップと、前記オーディオデータが再生されているときに、前記ホールドスイッチがオン状態にされた場合は、前記操作スイッチからの操作入力を受け付けて、再生中の前記オーディオデータを変更するステップとを含む。
【発明の効果】
【００１１】
以上のように、本発明の携帯型オーディオ再生装置および操作入力処理方法によれば、オーディオデータを再生していないときに、ホールドスイッチがオン状態にされた場合は、操作スイッチからの操作入力を受け付けしないで、オーディオデータを再生しているときに、ホールドスイッチがオン状態にされた場合は、操作スイッチからの操作入力を受け付けて、再生中のオーディオデータを変更する。
【００１２】
こうすることで、携帯型オーディオ再生装置を鞄や衣服のポケットなどに入れて携帯しているときに、誤って操作スイッチに触れてしまったとしても、オーディオデータを再生していないときには、ホールドスイッチをオン状態とすることで、例えば、電源のオフ状態で電源がオン状態になることもなく、オーディオデータを再生していない状態でオーディオデータの再生が開始することもなく、携帯型オーディオ再生装置のバッテリを不用意に消費してしまうことや誤操作を防ぐことができる。また、さらに、オーディオデータを再生しているときに、ホールドスイッチをオン状態とすることで、操作スイッチを目視するのが困難な状況であっても、ポケットなどにいれた状態のままでも、手探りででも少なくとも操作スイッチの何れかを操作することで、選曲のための操作入力として受け付けられるので、例えば、再生が停止したり音量が大きくなるというようなユーザーの意思によらない誤操作することなく、確実に選曲のための操作をすることができる。
【発明を実施するための最良の形態】
【００１３】
以下に、本発明の実施の形態について、図面を参照しながら説明する。
【００１４】
（実施の形態１）
図１は、本発明の実施の形態１における携帯型オーディオ再生装置のブロック図である。携帯型オーディオ再生装置は、記録部１０１と、制御部１０２と、信号処理部１０３と、スピーカー１０４と、表示部１０５と、操作部１０６とを備えている。操作部１０６は、ホールドスイッチ１０６ａと複数の操作スイッチ１０６ｂとを備えている。ここでは、携帯型オーディオ再生装置として、携帯型のデジタルオーディオプレーヤの例で説明するが、本発明の携帯型オーディオ再生装置および操作入力処理方法は、携帯型のデジタルオーディオプレーヤに限定されるものではない。
【００１５】
記録部１０１は、大容量をもつ小型ハードディスクやフラッシュメモリなどからなり、符号化された複数のオーディオデータがファイルとして記録されている。記録部１０１は、携帯型オーディオ再生装置に着脱可能なフラッシュメモリカードなどからなっていてもよい。オーディオデータには、ジャンル名、アーティスト名、アルバム名、タイトル名などの、階層的な楽曲情報が付加されており、ユーザーはこれらの楽曲情報を手掛りにしてオーディオデータを選択することができる。楽曲情報はオーディオデータと同じファイルに記録されていてもよいし、別のファイルに記録されていてもよい。また、複数のオーディオデータの再生順を指定して登録したプレイリスト情報を記録することも可能であり、ユーザーはこれらのプレイリスト情報を選択することで、オーディオデータを選択することもできる。
【００１６】
操作部１０６は、ボタンやスイッチやダイヤルやタッチパネルなどの入力デバイスからなり、オーディオデータの選択や、再生の開始や停止などの、携帯型オーディオ再生装置に対するユーザーの操作を入力するもので、ホールドスイッチ１０６ａのようなホールド操作部や操作スイッチ１０６ｂのような操作入力部を含む。操作部１０６に含まれるホールドスイッチ１０６ａや操作スイッチ１０６ｂも、入力デバイスの形態はスイッチに限らなくてもよい。但し、ホールドスイッチ１０６ａは、ユーザーの意思によらない誤操作を防止するためのものであるため、例えば、スライド式のスイッチのようなものが望ましく、特定ボタンの長押しや、複数ボタンの組み合わせ入力によるものでも良い。
【００１７】
制御部１０２は、マイクロプロセッサやコントローラなどからなり、携帯型オーディオ再生装置全体の動作の制御を行う。信号処理部１０３は、デジタル信号プロセッサやマイクロプロセッサなどからなり、記録媒体１０１に記録されたオーディオデータを復号化して再生する。制御部１０２と信号処理部１０３は、両者を１チップに統合したシステムＬＳＩからなっていてもよい。スピーカー１０４は、携帯型オーディオ再生装置に接続したヘッドフォンなどからなり、信号処理部１０３が再生したオーディオデータの音をユーザーに対して出力する。表示部１０５は、液晶ディスプレイや有機ＥＬディスプレイなどからなり、楽曲情報などの情報や、携帯型オーディオ再生装置の動作状態などをユーザーに対して表示する。
【００１８】
図２は、本発明の実施の形態１における携帯型オーディオ再生装置の外観を示す平面図である。携帯型オーディオ再生装置の前面パネル２００は、表示画面２０１と、操作スイッチとして、中央ボタン２０３と、上ボタン２０４と、下ボタン２０５と、左ボタン２０６と、右ボタン２０７とを備えている。前面パネル２００の上側に隣接する側面には、スライド式のホールドスイッチ２０２が備えられている。ヘッドフォン２１１は、前面パネル２００の右側に隣接する側面に、着脱可能に接続されている。表示画面２０１には、表示部１０５がユーザーに対して表示した情報が表示される。図２では、バッテリの残り容量を表示している例が示されている。
【００１９】
中央ボタン２０３と、上ボタン２０４と、下ボタン２０５と、左ボタン２０６と、右ボタン２０７とには、携帯型オーディオ再生装置の動作状態に応じた所定の複数の機能が割り付けられている。ホールドスイッチ２０２がオフ状態にあるときは、制御部１０２は、これらの機能に関する制御を行う。例えば、ユーザーがオーディオデータを選択する際には、制御部１０２は、表示画面２０１に表示したオーディオデータのタイトル名を、下ボタン２０５が押されたことを検出して下方向にスクロールし、また、上ボタン２０４が押されたことを検出して上方向にスクロールする。
【００２０】
また、ユーザーがオーディオデータを再生する際には、制御部１０２は、中央ボタン２０３が押されたことを検出して、選択されているオーディオデータのファイルを記録部１０１から読出し、信号処理部１０３を制御する。信号処理部１０３は、オーディオデータを復号化してデジタル信号として再生し、アナログ信号へと変換してスピーカー１０４（ヘッドフォン２０８）から出力する。再生中に、上ボタン２０４が押されたことを検出すると、制御部１０２は、信号処理部１０３を制御して、スピーカー１０４から出力する音量を大きくする。再生中に、下ボタン２０５が押されたことを検出すると、制御部１０２は、信号処理部１０３を制御して、スピーカー１０４から出力する音量を小さくする。
【００２１】
また、再生中に、右ボタン２０７が押されたことを検出すると、制御部１０２は、信号処理部１０３を制御して、オーディオデータの再生を順方向にスキップさせる。再生中に、右ボタン２０７が長押しされていることを検出すると、制御部１０２は、信号処理部１０３を制御して、オーディオデータの再生を早送りさせる。また、再生中に、左ボタン２０６が押されたことを検出すると、制御部１０２は、信号処理部１０３を制御して、オーディオデータの再生を逆方向にスキップさせる。再生中に、左ボタン２０６が長押しされていることを検出すると、制御部１０２は、信号処理部１０３を制御して、オーディオデータの再生を早戻しさせる。そして、再生中に、中央ボタン２０３が押されたことを検出すると、制御部１０２は、信号処理部１０３を制御して、オーディオデータの再生を停止させる。
【００２２】
このように、ホールドスイッチ２０２がオフ状態にあるときは、中央ボタン２０３や、上ボタン２０４や、下ボタン２０５や、左ボタン２０６や、右ボタン２０７からの操作入力を受けて、制御部１０２は、携帯型オーディオ再生装置の動作状態に応じてそれぞれの操作スイッチ２０３〜２０７に割り付けられた所定の機能に関する制御を行う。操作スイッチ２０３〜２０７の表面には、これらの代表的な機能に関する記号として、中央ボタン２０３には「再生／停止」記号が、上ボタン２０４には「＋」記号が、下ボタン２０５には「−」記号が、左ボタン２０６には「早戻し」記号が、右ボタン２０７には「早送り」記号が、それぞれ印刷されている。
【００２３】
図３は、本発明の実施の形態１における携帯型オーディオ再生装置の操作入力処理方法を示すフローチャートである。制御部１０２が、ホールドスイッチ２０２と複数の操作スイッチ２０３〜２０７からの操作入力を受けて、所定の機能に関する制御を行う部分を示している。
【００２４】
まず、携帯型オーディオ再生装置の電源がオン状態にされると、ステップ３０２において、制御部１０２は、初期状態としてモードを通常動作モードに設定する。モードしては、この他に、ホールドモードと再生中ホールドモードとがあり、操作スイッチ２０３〜２０７からの操作入力がある際に、これらの３種類のモードにおいてそれぞれ異なった制御が行われる。
【００２５】
次に、ステップ３０３とステップ３０９において、それぞれ、ホールドスイッチ２０２からの操作入力があるかどうか、操作スイッチ２０３〜２０７からの操作入力があるかどうかを判断する。ステップ３０３においてホールドスイッチ２０２からの操作入力がなく、かつ、ステップ３０９において操作スイッチ２０３〜２０７からの操作入力がない場合は、ステップ３０３へと戻る。
【００２６】
ステップ３０３において、ホールドスイッチ２０２からの操作入力があると判断した場合は、ステップ３０４へと移行する。ステップ３０４では、ホールドスイッチ２０２からの操作入力が、ホールドスイッチ２０２がオン状態にされたのかオフ状態にされたのかを判断する。ホールドスイッチ２０２がオン状態にされた場合は、ステップ３０５へと移行する。ステップ３０５では、オーディオデータが再生中かどうかを判断する。再生中でない場合、つまり、オーディオデータが再生されていないときに、ホールドスイッチ２０２がオン状態にされた場合は、ステップ３０７において、モードをホールドモードに設定し、ステップ３０３へと戻る。再生中の場合、つまり、オーディオデータが再生されているときに、ホールドスイッチ２０２がオン状態にされた場合は、ステップ３０６において、モードを再生中ホールドモードに設定し、ステップ３０３へと戻る。また、ホールドスイッチ２０２がオフ状態にされた場合は、ステップ３０８において、モードを通常モードに設定して初期状態へと戻し、ステップ３０３へと戻る。これらのステップ３０３〜３０８によって、通常モードと、ホールドモードと、再生中ホールドモードとの、３つのモード間の遷移が行われる。
【００２７】
一方で、ステップ３０９において、操作スイッチ２０３〜２０７からの操作入力があると判断した場合は、ステップ３１０へと移行する。ステップ３１０では、現在のモードが、通常モードか、ホールドモードか、再生中ホールドモードかの、どのモードなのかを判断する。
【００２８】
現在のモードが通常モードであると判断した場合、つまり、ホールドスイッチ２０２がオフ状態の場合は、ステップ３１３へと移行する。ステップ３１３では、制御部１０２は、操作スイッチ２０３〜２０７からの操作入力を受け付け、携帯型オーディオ再生装置の動作状態に応じてそれぞれの操作スイッチ２０３〜２０７に割り付けられた機能に関する制御を行い、ステップ３０３へと戻る。
【００２９】
例えば、図２の説明でも述べたように、オーディオデータの選択の際には、制御部１０２は、表示画面２０１に表示したオーディオデータのタイトル名を、下ボタン２０５が押されたことを検出して下方向にスクロールし、また、上ボタン２０４が押されたことを検出して上方向にスクロールする。
【００３０】
また、オーディオデータの再生の際には、制御部１０２は、中央ボタン２０３が押されたことを検出して、信号処理部１０３を制御して、選択されているオーディオデータの再生を開始する。再生中に、上ボタン２０４が押されたことを検出すると、制御部１０２は、信号処理部１０３を制御して、スピーカー１０４から出力する音量を大きくする。再生中に、下ボタン２０５が押されたことを検出すると、制御部１０２は、信号処理部１０３を制御して、スピーカー１０４から出力する音量を小さくする。
【００３１】
また、再生中に、右ボタン２０７が押されたことを検出すると、制御部１０２は、信号処理部１０３を制御して、オーディオデータの再生を順方向にスキップさせる。再生中に、右ボタン２０７が長押しされていることを検出すると、制御部１０２は、信号処理部１０３を制御して、オーディオデータの再生を早送りさせる。また、再生中に、左ボタン２０６が押されたことを検出すると、制御部１０２は、信号処理部１０３を制御して、オーディオデータの再生を逆方向にスキップさせる。再生中に、左ボタン２０６が長押しされていることを検出すると、制御部１０２は、信号処理部１０３を制御して、オーディオデータの再生を早戻しさせる。そして、再生中に、中央ボタン２０３が押されたことを検出すると、制御部１０２は、信号処理部１０３を制御して、オーディオデータの再生を停止させる。
【００３２】
次に、現在のモードがホールドモードであると判断した場合、つまり、オーディオデータが再生されていないときに、ホールドスイッチ２０２がオン状態にされた場合は、ステップ３１２へと移行する。ステップ３１２では、操作スイッチ２０３〜２０７からの操作入力があるのにもかかわらず、これらの操作入力を受け付けないように無視して、ステップ３０３へと戻る。
【００３３】
従って、ホールドモードのときは、例えば、鞄や衣服のポケットなどに携帯型オーディオ再生装置を入れて携帯するような場合に、携帯型オーディオ再生装置の操作スイッチが他の物体に触れてユーザーの意思によらない誤操作を引き起こすことを防ぐことができる。つまり、誤って操作スイッチに触れてしまったとしても、例えば、電源のオフ状態で電源がオン状態になることもなく、オーディオデータを再生していない状態でオーディオデータの再生が開始することもない。携帯型オーディオ再生装置はバッテリの電力で動作しており、これらの誤操作によって不用意にバッテリが消費されてしまうと、オーディオデータを再生したいときにはバッテリの電力容量不足で十分には使用できない状態になっている可能性があり、致命的である。この意味からも、特に、オーディオデータが再生されていないときに、バッテリが不用意に消費されることを防止できることは重要である。
【００３４】
最後に、現在のモードが再生中ホールドモードであると判断した場合、つまり、オーディオデータが再生されているときに、ホールドスイッチ２０２がオン状態にされた場合は、ステップ３１１へと移行する。ステップ３１１では、操作スイッチ２０３〜２０７からの操作入力を受け付け、オーディオデータの再生のスキップなどの、再生中のオーディオデータを変更する制御を行い、ステップ３０３へと戻る。
【００３５】
操作スイッチ２０３〜２０７の何れかからの操作入力がある場合、制御部１０２は、通常モードにおいては操作スイッチ２０３〜２０７にそれぞれ割り付けられた機能に関する制御を行うのだが、再生中ホールドモードにおいては、例えば、通常モードにおけるそれらの機能とは関係なしに、オーディオデータの再生を順方向にスキップさせる。こうすることで、操作スイッチ２０３〜２０７の何れかを操作すれば、再生中のオーディオデータが次のオーディオデータへと変更される。順次再生において新たに再生が始まったオーディオデータが気に入らない場合は、この簡単な操作を繰り返すことで、気に入ったオーディオデータへと変更することが可能になる。
【００３６】
オーディオデータの変更は、順方向のスキップでなくてもよい。例えば、複数のオーディオデータを登録したプレイリストを再生している場合には、現在再生しているプレイリストとは別のプレイリストへと変更してもよい。また、例えば、現在再生しているオーディオデータのジャンルとは別のジャンルへと変更したり、現在再生しているオーディオデータのアーティストとは別のアーティストへと変更したり、現在再生しているオーディオデータが含まれるアルバムとは別のアルバムへと変更してもよい。このように、オーディオデータが属するグループを変更することで、再生しているオーディオデータとはオーディオデータの属性の違いが大きいオーディオデータへと変更することが可能になる。
【００３７】
また、操作スイッチ２０３〜２０７を押し続けている期間だけ、オーディオデータの再生を早送りするようにしてもよい。こうすることで、再生しているオーディオデータの聴きたい部分へと変更することができる。さらには、操作スイッチ２０３〜２０７の操作方法によって、オーディオデータの変更のための動作を変えることもできる。例えば、操作スイッチ２０３〜２０７を１回短く押してから、直後に長く押し続けるような操作入力がある場合に、オーディオデータの再生を早戻しするようにしてもよい。こうすることで、順方向だけではなく逆方向へのオーディオデータの変更が可能になり、よい自由度の高いオーディオデータの変更操作をすることができるようになる。
【００３８】
従って、再生中ホールドモードのときは、操作スイッチを目視するのが困難な状況であっても、ポケットなどにいれた状態のままでも、手探りででも少なくとも操作スイッチの何れかを操作することで、選曲のための操作入力として受け付けられるので、例えば、再生が停止したり音量が大きくなるというようなユーザーの意思によらない誤操作することなく、確実に選曲のための操作をすることができる。特に、混雑した電車に乗っているときや、荷物を持ちながら歩いているときや、暗い場所にいるときや、自転車に乗っているときなど、ホールドスイッチや操作スイッチを目視して正確な操作をすることが楽ではない状況のときでも、比較的簡単にオーディオデータの変更をすることができる。
【００３９】
さらには、再生しているオーディオデータの変更をしたい場合ではないときに、誤って操作スイッチ２０３〜２０７に触れてしまうことも考えられるが、例えば、操作スイッチ２０３〜２０７を特定の方法で操作することで、オーディオデータが変更されてしまう前の元の再生位置へと戻すように制御するようにしてもよい。この特定の操作方法としては、例えば、操作スイッチ２０３〜２０７を２回短く押すような操作入力などでもよい。このように、再生中ホールドモードのとき、万が一、誤操作をしてしまったとしても、例えば、再生が停止したり音量が大きくなるというようなことはなく、再生しているオーディオデータが変更されるだけなので、オーディオデータの変更が気に入らないということがなければ、そのまま再生を継続させておくことも可能である。また、オーディオデータの変更が気に入らなければ、誤操作する前の再生位置にオーディオデータを簡単に戻すことも可能である。
【００４０】
なお、本実施の形態では、モードが再生中ホールドモードの場合は、操作スイッチ２０３〜２０７の何れからの操作入力も受け付けるとしたが、操作スイッチ２０３〜２０７のうちの一部の操作スイッチからの操作入力のみ受け付けてもよい。また、操作入力を受け付けるかどうかを、別途設定可能にしてもよい。
【産業上の利用可能性】
【００４１】
本発明にかかる、所定の機能に関する操作入力をするための複数の操作スイッチと、操作スイッチの誤操作を防止するためのホールドスイッチと、制御部と、複数のオーディオデータを記録するための記録部と、記録部に記録されたオーディオデータを再生する信号処理部とを備え、制御部は、信号処理部がオーディオデータを再生していないときに、ホールドスイッチがオン状態にされた場合は、操作スイッチからの操作入力を受け付けしないで、信号処理部がオーディオデータを再生しているときに、ホールドスイッチがオン状態にされた場合は、操作スイッチからの操作入力を受け付けて、再生中のオーディオデータを変更する携帯型オーディオ再生装置、および、オーディオデータが再生されているかどうかを判断するステップと、ホールドスイッチがオン状態にされたかどうかを判断するステップと、オーディオデータが再生されていないときに、ホールドスイッチがオン状態にされた場合は、操作スイッチからの操作入力を受け付けしないステップと、オーディオデータが再生されているときに、ホールドスイッチがオン状態にされた場合は、操作スイッチからの操作入力を受け付けて、再生中のオーディオデータを変更するステップとを含む、携帯型オーディオ再生装置の操作入力処理方法は、操作スイッチを目視するのが困難な状況であっても、ポケットなどにいれた状態のままでも、ユーザーの意思によらない誤操作することなく、確実に選曲のための操作をすることができるので、特に、携帯型のデジタルオーディオプレーヤなどの携帯型オーディオ再生装置の用途に有用である。
【図面の簡単な説明】
【００４２】
【図１】本発明の実施の形態１における携帯型オーディオ再生装置の構成を示すブロック図
【図２】本発明の実施の形態１における携帯型オーディオ再生装置の外観を示す平面図
【図３】本発明の実施の形態１における携帯型オーディオ再生装置の操作入力処理方法を示すフローチャート
【符号の説明】
【００４３】
１０１    記憶部
１０２    制御部
１０３    信号処理部
１０４    スピーカー
１０５    表示部
１０６    操作部
１０６ａ    ホールドスイッチ
１０６ｂ    操作スイッチ
【図１】
2008065899.tif 000003
【図２】
2008065899.tif 000004
【図３】
2008065899.tif 000005